(57)【要約】【課題】装置（動作ユニット）の設置場所と制御装置との間の誤配線（誤接続）を防止することのできる配線検査装置および配線検査方法を提供する。【解決手段】自動写真作成装置において、複数のストロボ（動作ユニット）は制御装置としてのストロボドライバの各ポートに接続される。各ストロボの設置場所には電子タグが取り付けられ、その電子タグには設置場所を識別するためのＩＤが書き込まれる。ストロボに対して明るさの設定が行われた（ステップＳ３００）後、当該ストロボの設置場所の電子タグに書き込まれているＩＤの取得が行われ（ステップＳ３１０）、そのＩＤに基づいて、ストロボドライバのポートに接続されているストロボの設置場所が本来の設置場所であるか否かが検査される（ステップＳ３２０）。その結果、配線（接続）が正しく行われていなければ、エラーメッセージが表示される（ステップＳ３４０）。【選択図】図１１
2010063050.tif 000002
【特許請求の範囲】
【請求項１】
設置場所に応じて所定の動作を行う複数の動作手段と、少なくとも前記複数の動作手段の数に等しいだけの複数の接続部を有し配線部材を介して各接続部に接続された動作手段の動作を制御する動作制御手段とを備えた装置に設けられ、前記複数の接続部に接続された配線部材の配線状態を検査する配線検査装置であって、
前記複数の動作手段の設置場所を識別するための第１の識別情報の格納または生成を行うために各設置場所に設けられた第１の識別手段と、
前記動作制御手段の各接続部に接続された動作手段の設置場所に設けられた第１の識別手段から前記第１の識別情報を取得する第１の識別情報取得手段と、
前記第１の識別情報取得手段によって取得された第１の識別情報に基づいて、前記動作制御手段の各接続部に接続された動作手段の設置場所が当該各接続部に予め対応付けられた設置場所であるか否かを検査する第１の検査手段と
を備えることを特徴とする、配線検査装置。
【請求項２】
前記第１の検査手段による検査の結果、前記動作制御手段の或る接続部に接続されている動作手段の設置場所が当該或る接続部に予め対応付けられた設置場所でなかったときに、設置場所と動作手段によって行われるべき動作との予め保持された対応関係に基づいて当該或る接続部に接続されている動作手段の動作を制御する動作再制御手段を備えることを特徴とする、請求項１に記載の配線検査装置。
【請求項３】
前記第１の検査手段による検査の結果、前記動作制御手段の或る接続部に接続されている動作手段の設置場所が当該或る接続部に予め対応付けられた設置場所でなかったときに、接続に誤りがある旨のメッセージを所定の表示手段に表示する第１のエラーメッセージ表示手段を備えることを特徴とする、請求項１または２に記載の配線検査装置。
【請求項４】
前記複数の動作手段の種類を識別するための第２の識別情報の格納または生成を行うために各動作手段に設けられた第２の識別手段と、
前記動作制御手段の各接続部に接続された動作手段に設けられた第２の識別手段から前記第２の識別情報を取得する第２の識別情報取得手段と、
前記第２の識別情報取得手段によって取得された第２の識別情報に基づいて、前記動作制御手段の各接続部に接続された動作手段が当該各接続部に予め対応付けられた種類の動作手段であるか否かを検査する第２の検査手段と
を更に備えることを特徴とする、請求項１から３までのいずれか１項に記載の配線検査装置。
【請求項５】
前記第２の検査手段による検査の結果、前記動作制御手段の或る接続部に接続された動作手段が当該或る接続部に予め対応付けられた種類の動作手段でなかったときに、接続に誤りがある旨のメッセージを所定の表示手段に表示する第２のエラーメッセージ表示手段を備えることを特徴とする、請求項４に記載の配線検査装置。
【請求項６】
前記第２の識別手段は、記憶素子を有する電子タグであって、
前記第２の識別情報は、前記記憶素子に記録されたＩＤであることを特徴とする、請求項４または５に記載の配線検査装置。
【請求項７】
前記第２の識別手段は、抵抗器であって、
前記第２の識別情報は、前記抵抗器に電流を流すことによって生ずる電圧であることを特徴とする、請求項４または５に記載の配線検査装置。
【請求項８】
前記第２の識別手段は、設置場所毎に異なる電気配線のパターンであって、
前記第２の識別情報は、前記電気配線のパターンに応じて生ずる前記電気配線上の所定点の電位または前記電気配線上の所定の２点間の電圧であることを特徴とする、請求項４または５に記載の配線検査装置。
【請求項９】
前記第１の識別手段は、記憶素子を有する電子タグであって、
前記第１の識別情報は、前記記憶素子に記録されたＩＤであることを特徴とする、請求項１から８までのいずれか１項に記載の配線検査装置。
【請求項１０】
前記第１の識別手段は、抵抗器であって、
前記第１の識別情報は、前記抵抗器に電流を流すことによって生ずる電圧であることを特徴とする、請求項１から８までのいずれか１項に記載の配線検査装置。
【請求項１１】
前記第１の識別手段は、設置場所毎に異なる電気配線のパターンであって、
前記第１の識別情報は、前記電気配線のパターンに応じて生ずる前記電気配線上の所定点の電位または前記電気配線上の所定の２点間の電圧であることを特徴とする、請求項１から８までのいずれか１項に記載の配線検査装置。
【請求項１２】
所定の撮影領域における被写体である利用者を撮影する撮像手段と、前記撮像手段による撮影の際に閃光を放つことにより前記被写体を照明する前記複数の動作手段としての複数の照明装置と、前記複数の照明装置の発光量を制御する前記動作制御手段としての照明装置制御手段と、前記撮像手段により得られる撮影画像を含む合成画像を写真として出力する出力手段とを有する、請求項１から１１までのいずれか１項に記載の配線検査装置を備える自動写真作成装置であって、
前記第１の識別情報取得手段は、前記照明装置制御手段の各接続部に接続された照明装置の設置場所に設けられた第１の識別手段から前記第１の識別情報を取得し、
前記第１の検査手段は、前記第１の識別情報取得手段によって取得された第１の識別情報に基づいて、前記照明装置制御手段の各接続部に接続された照明装置の設置場所が当該各接続部に予め対応付けられた設置場所であるか否かを検査することを特徴とする、自動写真作成装置。
【請求項１３】
設置場所に応じて所定の動作を行う複数の動作手段と、少なくとも前記複数の動作手段の数に等しいだけの複数の接続部を有し配線部材を介して各接続部に接続された動作手段の動作を制御する動作制御手段とを備えた装置における配線検査方法であって、
前記複数の接続部に接続された配線部材の配線状態を検査する配線検査ステップを備え、
前記複数の動作手段の設置場所を識別するための第１の識別情報の格納または生成を行うための第１の識別手段が各設置場所に設けられ、
前記配線検査ステップは、
前記動作制御手段の各接続部に接続された動作手段の設置場所に設けられた第１の識別手段から前記第１の識別情報を取得する第１の識別情報取得ステップと、
前記第１の識別情報取得ステップで取得された第１の識別情報に基づいて、前記動作制御手段の各接続部に接続された動作手段の設置場所が当該各接続部に予め対応付けられた設置場所であるか否かを検査する第１の検査ステップと
を含むことを特徴とする、配線検査方法。
【請求項１４】
前記配線検査ステップは、前記第１の検査ステップでの検査の結果、前記動作制御手段の或る接続部に接続されている動作手段の設置場所が当該或る接続部に予め対応付けられた設置場所でなかったときに、設置場所と動作手段によって行われるべき動作との予め保持された対応関係に基づいて当該或る接続部に接続されている動作手段の動作を制御する動作再制御ステップを更に含むことを特徴とする、請求項１３に記載の配線検査方法。
【請求項１５】
前記複数の動作手段の種類を識別するための第２の識別情報の格納または生成を行うための第２の識別手段が各動作手段に設けられ、
前記配線検査ステップは、
前記動作制御手段の各接続部に接続された動作手段に設けられた第２の識別手段から前記第２の識別情報を取得する第２の識別情報取得ステップと、
前記第２の識別情報取得ステップで取得された第２の識別情報に基づいて、前記動作制御手段の各接続部に接続された動作手段が当該各接続部に予め対応付けられた種類の動作手段であるか否かを検査する第２の検査ステップと
を更に含むことを特徴とする、請求項１３または１４に記載の配線検査方法。
【請求項１６】
所定の撮影領域における被写体である利用者を撮影する撮像手段と、前記撮像手段による撮影の際に閃光を放つことにより前記被写体を照明する前記複数の動作手段としての複数の照明装置と、前記複数の照明装置の発光量を制御する前記動作制御手段としての照明装置制御手段と、前記撮像手段により得られる撮影画像を含む合成画像を写真として出力する出力手段とを有する自動写真作成装置における配線検査方法であって、
前記第１の識別情報取得ステップでは、前記照明装置制御手段の各接続部に接続された照明装置の設置場所に設けられた第１の識別手段から前記第１の識別情報が取得され、
前記第１の検査ステップでは、前記第１の識別情報取得ステップで取得された第１の識別情報に基づいて、前記照明装置制御手段の各接続部に接続された照明装置の設置場所が当該各接続部に予め対応付けられた設置場所であるか否かが検査されることを特徴とする、請求項１３から１５までのいずれか１項に記載の配線検査方法。
【請求項１７】
請求項１３から１６までのいずれか１項に記載の配線検査方法をコンピュータに実行させることを特徴とするプログラム。
【発明の詳細な説明】
【技術分野】
【０００１】
本発明は、複数の装置のそれぞれの設置場所とそれら複数の装置を制御する制御装置との間の配線が正しく行われているかを検査する配線検査装置および配線検査方法に関し、例えば、自動写真作成装置に設けられている複数の照明装置のそれぞれの設置場所とそれらを制御する制御装置との間の配線状態の検査を行う配線検査装置および配線検査方法に関する。
【背景技術】
【０００２】
近年、各種装置のコンピュータ化が進み、複数個の或る動作ユニットが１つの制御装置によって制御されるという構成が一般化している。そのような構成において、各動作ユニットと制御装置とが無線で接続されるものもあるが、昨今でもそれらが有線で接続されるものが数多くある。有線で接続されるものについては、例えば、制御装置の各ポートと各動作ユニットとがそれぞれケーブルによって接続されている。
【０００３】
ところで、従来より、利用者をカメラで撮影し、その撮影画像を写真シール（あるいは写真カード等）として出力する自動写真作成装置（遊戯用写真作成装置）が知られている。このような自動写真作成装置においては、利用者（被写体）を撮影する際に充分な光が必要とされるため、一般的に複数のストロボ（フラッシュ）が設けられている。図２６は、従来の自動写真作成装置において、照明に関する構成を示した模式図である。図２６に示すように、自動写真作成装置においては、複数のストロボ９１１，９１２，９１３（ここでは、ストロボが３つの例を示している）がカメラ９００およびパソコン９０１と接続されたストロボドライバ（ストロボ制御装置）９０２に接続されている。なお、以下においては、図２６で正面左方に設置されたストロボを第１のストロボ９１１といい、正面上方に設置されたストロボを第２のストロボ９１２といい、正面右方に設置されたストロボを第３のストロボ９１３という。それら第１〜第３のストロボ９１１，９１２，９１３の設置場所とストロボドライバ９０２の各ポートとの対応関係は予め定められている。そして、例えば、第１のストロボ９１１が「ポート番号＝１」のポートに接続され、第２のストロボ９１２が「ポート番号＝２」のポートに接続され、第３のストロボ９１３が「ポート番号＝３」のポートに接続されているとき、それぞれのストロボを所望の明るさ（光量）で発光させるために、当該明るさを表す指示信号がパソコン９０１からストロボドライバ９０２の各ポートに与えられる。例えば図２７に示すように各ポートに対して明るさを表す指示信号が与えられると、第１のストロボ９１１は「明るさ＝５」に対応する光量で発光し、第２のストロボ９１２は「明るさ＝１０」に対応する光量で発光し、第３のストロボ９１３は「明るさ＝５」に対応する光量で発光する。以上のようにして、自動写真作成装置に設けられている複数のストロボに対する明るさの設定が行われている。なお、特開２００７−３２２５０９号公報には、写真撮影装置においてストロボユニットが４つのストロボの発光タイミングや発光量を制御するという構成が開示されている。
【特許文献１】特開２００７−３２２５０９号公報
【発明の開示】
【発明が解決しようとする課題】
【０００４】
ところが、自動写真作成装置の周囲には多数のケーブルが敷設されていることが多く、配線の際にケーブル同士が錯綜するなどしてストロボの設置場所とストロボドライバのポートとの対応関係を誤ってしまうことが多々ある。例えば、図２６に示すような配線（接続）がなされなければならないときに、図２８に示すような配線（第１のストロボ９１１が接続されるべきポートに第２のストロボ９１２が接続され、第２のストロボ９１２が接続されるべきポートに第１のストロボ９１１が接続されている）がなされることがある。このとき、第１のストロボ９１１は、本来「明るさ＝５」に対応する光量で発光すべきであるが、「明るさ＝１０」に対応する光量で発光し、第２のストロボ９１２は、本来「明るさ＝１０」に対応する光量で発光すべきであるが、「明るさ＝５」に対応する光量で発光する。このため、（撮影の際の）複数のストロボ間の光量のバランスが悪くなどして、所望の撮影結果が得られない。
【０００５】
上述のような誤配線（誤接続）を防止する手法として、ストロボとストロボドライバとを接続するコネクタの形状をそれぞれ異ならせるという手法が考えられる。しかし、この手法によると、ストロボの数だけコネクタの形状（種類）を増やさなければならない。このため、例えば、保守のために多種類の部品を用意しなければならない。
【０００６】
そこで、本発明は、例えば自動写真作成装置においてストロボの設置場所とストロボドライバのポートとの間の誤配線（誤接続）が防止されるように、装置（動作ユニット）の設置場所と制御装置との間の誤配線（誤接続）を防止することのできる配線検査装置および配線検査方法を提供することを目的とする。
【課題を解決するための手段】
【０００７】
第１の発明は、設置場所に応じて所定の動作を行う複数の動作手段と、少なくとも前記複数の動作手段の数に等しいだけの複数の接続部を有し配線部材を介して各接続部に接続された動作手段の動作を制御する動作制御手段とを備えた装置に設けられ、前記複数の接続部に接続された配線部材の配線状態を検査する配線検査装置であって、
前記複数の動作手段の設置場所を識別するための第１の識別情報の格納または生成を行うために各設置場所に設けられた第１の識別手段と、
前記動作制御手段の各接続部に接続された動作手段の設置場所に設けられた第１の識別手段から前記第１の識別情報を取得する第１の識別情報取得手段と、
前記第１の識別情報取得手段によって取得された第１の識別情報に基づいて、前記動作制御手段の各接続部に接続された動作手段の設置場所が当該各接続部に予め対応付けられた設置場所であるか否かを検査する第１の検査手段と
を備えることを特徴とする。
【０００８】
第２の発明は、第１の発明において、
前記第１の検査手段による検査の結果、前記動作制御手段の或る接続部に接続されている動作手段の設置場所が当該或る接続部に予め対応付けられた設置場所でなかったときに、設置場所と動作手段によって行われるべき動作との予め保持された対応関係に基づいて当該或る接続部に接続されている動作手段の動作を制御する動作再制御手段を備えることを特徴とする。
【０００９】
第３の発明は、第１または第２の発明において、
前記第１の検査手段による検査の結果、前記動作制御手段の或る接続部に接続されている動作手段の設置場所が当該或る接続部に予め対応付けられた設置場所でなかったときに、接続に誤りがある旨のメッセージを所定の表示手段に表示する第１のエラーメッセージ表示手段を備えることを特徴とする。
【００１０】
第４の発明は、第１から第３までのいずれかの発明において、
前記複数の動作手段の種類を識別するための第２の識別情報の格納または生成を行うために各動作手段に設けられた第２の識別手段と、
前記動作制御手段の各接続部に接続された動作手段に設けられた第２の識別手段から前記第２の識別情報を取得する第２の識別情報取得手段と、
前記第２の識別情報取得手段によって取得された第２の識別情報に基づいて、前記動作制御手段の各接続部に接続された動作手段が当該各接続部に予め対応付けられた種類の動作手段であるか否かを検査する第２の検査手段と
を更に備えることを特徴とする。
【００１１】
第５の発明は、第４の発明において、
前記第２の検査手段による検査の結果、前記動作制御手段の或る接続部に接続された動作手段が当該或る接続部に予め対応付けられた種類の動作手段でなかったときに、接続に誤りがある旨のメッセージを所定の表示手段に表示する第２のエラーメッセージ表示手段を備えることを特徴とする。
【００１２】
第６の発明は、第４または第５の発明において、
前記第２の識別手段は、記憶素子を有する電子タグであって、
前記第２の識別情報は、前記記憶素子に記録されたＩＤであることを特徴とする。
【００１３】
第７の発明は、第４または第５の発明において、
前記第２の識別手段は、抵抗器であって、
前記第２の識別情報は、前記抵抗器に電流を流すことによって生ずる電圧であることを特徴とする。
【００１４】
第８の発明は、第４または第５の発明において、
前記第２の識別手段は、設置場所毎に異なる電気配線のパターンであって、
前記第２の識別情報は、前記電気配線のパターンに応じて生ずる前記電気配線上の所定点の電位または前記電気配線上の所定の２点間の電圧であることを特徴とする。
【００１５】
第９の発明は、第１から第８までのいずれかの発明において、
前記第１の識別手段は、記憶素子を有する電子タグであって、
前記第１の識別情報は、前記記憶素子に記録されたＩＤであることを特徴とする。
【００１６】
第１０の発明は、第１から第８までのいずれかの発明において、
前記第１の識別手段は、抵抗器であって、
前記第１の識別情報は、前記抵抗器に電流を流すことによって生ずる電圧であることを特徴とする。
【００１７】
第１１の発明は、第１から第８までのいずれかの発明において、
前記第１の識別手段は、設置場所毎に異なる電気配線のパターンであって、
前記第１の識別情報は、前記電気配線のパターンに応じて生ずる前記電気配線上の所定点の電位または前記電気配線上の所定の２点間の電圧であることを特徴とする。
【００１８】
第１２の発明は、所定の撮影領域における被写体である利用者を撮影する撮像手段と、前記撮像手段による撮影の際に閃光を放つことにより前記被写体を照明する前記複数の動作手段としての複数の照明装置と、前記複数の照明装置の発光量を制御する前記動作制御手段としての照明装置制御手段と、前記撮像手段により得られる撮影画像を含む合成画像を写真として出力する出力手段とを有する、第１から第１１までのいずれかの発明に係る配線検査装置を備える自動写真作成装置であって、
前記第１の識別情報取得手段は、前記照明装置制御手段の各接続部に接続された照明装置の設置場所に設けられた第１の識別手段から前記第１の識別情報を取得し、
前記第１の検査手段は、前記第１の識別情報取得手段によって取得された第１の識別情報に基づいて、前記照明装置制御手段の各接続部に接続された照明装置の設置場所が当該各接続部に予め対応付けられた設置場所であるか否かを検査することを特徴とする。
【００１９】
第１３の発明は、設置場所に応じて所定の動作を行う複数の動作手段と、少なくとも前記複数の動作手段の数に等しいだけの複数の接続部を有し配線部材を介して各接続部に接続された動作手段の動作を制御する動作制御手段とを備えた装置における配線検査方法であって、
前記複数の接続部に接続された配線部材の配線状態を検査する配線検査ステップを備え、
前記複数の動作手段の設置場所を識別するための第１の識別情報の格納または生成を行うための第１の識別手段が各設置場所に設けられ、
前記配線検査ステップは、
前記動作制御手段の各接続部に接続された動作手段の設置場所に設けられた第１の識別手段から前記第１の識別情報を取得する第１の識別情報取得ステップと、
前記第１の識別情報取得ステップで取得された第１の識別情報に基づいて、前記動作制御手段の各接続部に接続された動作手段の設置場所が当該各接続部に予め対応付けられた設置場所であるか否かを検査する第１の検査ステップと
を含むことを特徴とする。
【００２０】
第１４の発明は、第１３の発明において、
前記配線検査ステップは、前記第１の検査ステップでの検査の結果、前記動作制御手段の或る接続部に接続されている動作手段の設置場所が当該或る接続部に予め対応付けられた設置場所でなかったときに、設置場所と動作手段によって行われるべき動作との予め保持された対応関係に基づいて当該或る接続部に接続されている動作手段の動作を制御する動作再制御ステップを更に含むことを特徴とする。
【００２１】
第１５の発明は、第１３または第１４の発明において、
前記複数の動作手段の種類を識別するための第２の識別情報の格納または生成を行うための第２の識別手段が各動作手段に設けられ、
前記配線検査ステップは、
前記動作制御手段の各接続部に接続された動作手段に設けられた第２の識別手段から前記第２の識別情報を取得する第２の識別情報取得ステップと、
前記第２の識別情報取得ステップで取得された第２の識別情報に基づいて、前記動作制御手段の各接続部に接続された動作手段が当該各接続部に予め対応付けられた種類の動作手段であるか否かを検査する第２の検査ステップと
を更に含むことを特徴とする。
【００２２】
第１６の発明は、第１３から第１５までのいずれかの発明において、
所定の撮影領域における被写体である利用者を撮影する撮像手段と、前記撮像手段による撮影の際に閃光を放つことにより前記被写体を照明する前記複数の動作手段としての複数の照明装置と、前記複数の照明装置の発光量を制御する前記動作制御手段としての照明装置制御手段と、前記撮像手段により得られる撮影画像を含む合成画像を写真として出力する出力手段とを有する自動写真作成装置における配線検査方法であって、
前記第１の識別情報取得ステップでは、前記照明装置制御手段の各接続部に接続された照明装置の設置場所に設けられた第１の識別手段から前記第１の識別情報が取得され、
前記第１の検査ステップでは、前記第１の識別情報取得ステップで取得された第１の識別情報に基づいて、前記照明装置制御手段の各接続部に接続された照明装置の設置場所が当該各接続部に予め対応付けられた設置場所であるか否かが検査されることを特徴とする。
【００２３】
第１７の発明は、第１３から第１６までのいずれかの発明に係る配線検査方法をコンピュータに実行させることを特徴とするプログラムである。
【発明の効果】
【００２４】
上記第１の発明によれば、各動作手段の設置場所には他の設置場所と識別するための識別手段（第１の識別手段）が設けられ、その識別手段から得られる情報（第１の識別情報）に基づいて、（複数の動作手段の動作を制御する）動作制御手段の各接続部に接続されている動作手段の設置場所が本来の設置場所であるか否かが検査される。このため、動作制御手段の各接続部と各動作手段の設置場所との間の配線に誤りがあっても、当該誤りが検知される。これにより、１つの動作制御手段によって複数の動作手段を制御している装置において、動作制御手段の各接続部と各動作手段の設置場所との間の誤配線が防止される。
【００２５】
上記第２の発明によれば、動作制御手段の各接続部と各動作手段の設置場所との間に誤配線がある場合に、誤配線されている動作手段の設置場所についての予め定められた動作に基づいて、動作手段の動作が制御される。これにより、１つの動作制御手段によって複数の動作手段を制御している装置において、動作制御手段の各接続部と各動作手段の設置場所との間の配線に誤りがあっても、配線のやり直しをすることなく、各動作手段は予め定められたとおりに動作する。
【００２６】
上記第３の発明によれば、動作制御手段の各接続部と各動作手段の設置場所との間の配線に誤りがあればエラーメッセージが表示されるので、効果的に誤配線が防止される。
【００２７】
上記第４の発明によれば、各動作手段には動作手段の種類を識別するための識別手段（第２の識別手段）が設けられ、その識別手段から得られる情報（第２の識別情報）に基づいて、動作制御手段の各接続部に接続されている動作手段が当該各接続部に本来接続されるべき種類の動作手段であるか否かが検査される。このため、動作制御手段の各接続部に誤った種類の動作手段が接続されていても、当該誤りが検知される。また、上記第１の発明によれば動作制御手段の各接続部と各動作手段の設置場所との間の誤配線が検知されることから、各動作手段の設置場所に誤った種類の動作手段が設置（配置）されていても、当該誤りが検知される。これにより、１つの動作制御手段によって複数の動作手段を制御している装置において、各動作手段の設置場所への動作手段の誤配置が防止される。
【００２８】
上記第５の発明によれば、動作制御手段の各接続部に誤った種類の動作手段が接続されていればエラーメッセージが表示されるので、効果的に誤配置が防止される。
【００２９】
上記第６の発明によれば、各動作手段には電子タグが設けられ、その電子タグ内に記録されているＩＤに基づいて、動作制御手段の各接続部に接続されている動作手段の種類の識別が行われる。これにより、動作制御手段の各接続部に接続されている動作手段が当該各接続部に本来接続されるべき種類の動作手段であるか否かの検査が可能となる。
【００３０】
上記第７の発明によれば、各動作手段には抵抗器が設けられ、その抵抗器に電流を流したときに生ずる電圧に基づいて、動作制御手段の各接続部に接続されている動作手段の種類の識別が行われる。これにより、動作制御手段の各接続部に接続されている動作手段が当該各接続部に本来接続されるべき種類の動作手段であるか否かの検査が可能となる。
【００３１】
上記第８の発明によれば、各動作手段には特有の電気配線パターンが設けられ、その電気配線パターンに応じて生ずる電位または電圧に基づいて、動作制御手段の各接続部に接続されている動作手段の種類の識別が行われる。これにより、動作制御手段の各接続部に接続されている動作手段が当該各接続部に本来接続されるべき種類の動作手段であるか否かの検査が可能となる。
【００３２】
上記第９の発明によれば、各動作手段の設置場所には電子タグが設けられ、その電子タグ内に記録されているＩＤに基づいて、動作制御手段の各接続部に接続されている動作手段の設置場所の識別が行われる。これにより、動作制御手段の各接続部に接続されている動作手段の設置場所が本来の設置場所であるか否かの検査が可能となる。
【００３３】
上記第１０の発明によれば、各動作手段の設置場所には抵抗器が設けられ、その抵抗器に電流を流したときに生ずる電圧に基づいて、動作制御手段の各接続部に接続されている動作手段の設置場所の識別が行われる。これにより、動作制御手段の各接続部に接続されている動作手段の設置場所が本来の設置場所であるか否かの検査が可能となる。
【００３４】
上記第１１の発明によれば、各動作手段の設置場所には特有の電気配線パターンが設けられ、その電気配線パターンに応じて生ずる電位または電圧に基づいて、動作制御手段の各接続部に接続されている動作手段の設置場所の識別が行われる。これにより、動作制御手段の各接続部に接続されている動作手段の設置場所が本来の設置場所であるか否かの検査が可能となる。
【００３５】
上記第１２の発明によれば、自動写真作成装置において、各照明装置の設置場所には他の設置場所と識別するための識別手段（第１の識別手段）が設けられ、その識別手段から得られる情報（第１の識別情報）に基づいて、複数の照明装置の発光量を制御する照明装置制御手段の各接続部に接続されている照明装置の設置場所が本来の設置場所であるか否かが検査される。このため、照明装置制御手段の各接続部と各照明装置の設置場所との間の配線に誤りがあっても、当該誤りが検知される。これにより、自動写真作成装置において、照明装置制御手段の各接続部と各照明装置の設置場所との間の誤配線が防止される。
【００３６】
上記第１３の発明によれば、上記第１の発明と同様の効果を奏することができる。
【００３７】
上記第１４の発明によれば、上記第２の発明と同様の効果を奏することができる。
【００３８】
上記第１５の発明によれば、上記第４の発明と同様の効果を奏することができる。
【００３９】
上記第１６の発明によれば、上記第１２の発明と同様の効果を奏することができる。
【００４０】
上記第１７の発明によれば、上記第１の発明と同様の効果を奏することができる。
【発明を実施するための最良の形態】
【００４１】
以下、添付図面を参照しつつ本発明の一実施形態について説明する。
【００４２】
＜１．全体構成＞
図１は、本発明の一実施形態に係る自動写真作成装置である遊戯用写真作成装置の外観を示す図である。より詳細には、図１（ａ）は、この遊戯用写真作成装置を横から見た外観側面図であり、図１（ｂ）は、上から見た外観平面図である。この遊戯用写真作成装置は、利用者Ｕが入る撮影室２と、利用者Ｕを撮影し背景画像および前景画像の選択を受け付ける撮影ユニット３と、利用者Ｕによる落書き（描画操作）を含む編集操作を受け付け撮影画像に合成した合成画像を生成する編集ユニット４とを備えている。図２は、撮影ユニット３の正面図であり、図３は、編集ユニット４の正面図である。以下、図１から図３を参照しつつ、本実施形態における遊戯用写真作成装置の全体構成について説明する。
【００４３】
撮影室２は、略直方体形状であって、撮影ユニット３は、内部に入る利用者Ｕから見て前の面である撮影室２の前面に沿って配置される。なお、撮影室２左右両側面の一部には、それぞれ利用者Ｕが出入りするための開口部と、当該開口部の一部または全部を覆う遮光カーテンとが設けられている。また、撮影室２の内部に入る利用者Ｕから見て後ろの面である背面には電動ロールカーテン装置２５が備えられている。この電動ロールカーテン装置２５にはクロマキー合成処理のための単一の色（ここでは青色または緑色）が付されたロールカーテンが収納されており、撮影の開始とともに当該ロールカーテンが展開され終了とともに巻き取られる。なお、電動ロールカーテン装置２５は、クロマキー合成処理が行われない場合、所定の模様や風景などがそれぞれ描かれた複数のロールカーテンを適宜展開し巻き取る構成であってもよい。また、撮影室２の床面が撮影対象となる場合には、当該床面にも上記単一の色が付される。
【００４４】
撮影ユニット３は、利用者Ｕを撮影する撮像手段としてのカメラ１０と、当該カメラ１０の上下左右の適宜の位置に配置され閃光を発する照明装置としてのストロボ１１，１２，１３Ｌ，１３Ｒ，１４と、当該カメラ１０の下方に配置され利用者Ｕからの操作の受け付けや撮影画像の表示等を行う撮影操作用タッチパネル２０とを備えている。
【００４５】
カメラ１０は、典型的には、ＣＣＤ（電荷結合素子）を利用してデジタル画像信号を生成するデジタルカメラであって、利用者Ｕを撮影し、その撮影画像を表す画像信号を出力する。ストロボ１１〜１４は、撮影のための充分な光を得るために利用者Ｕに向かって閃光を発する。撮影操作用タッチパネル２０は、撮影の際に利用者Ｕによる各種操作を受け付けるための操作画面を提供するとともに、上記画像信号の表す画像をリアルタイムで表示するように構成されている。図４は、撮影操作用タッチパネル２０の画面構成を示す模式図である。図４に示すように、撮影操作用タッチパネル２０には、リアルタイムで撮影画像を表示するためのリアルタイムプレビュー領域２０１と、ポーズの見本を表示するためのポーズ見本表示領域２０２と、撮影によって得られる落書き対象画像を表示するための落書き対象画像表示領域２０３とが含まれている。
【００４６】
また撮影ユニット３は、コンピュータ（パソコン）を中心に構成され各部の制御等を行う制御装置、Ｉ／Ｏ制御装置、および編集ユニット４と通信を行うためのネットワークアダプタなどを内蔵しているほか、合成画像を写真シール（または写真カード）として出力する出力手段としてのネットワークプリンタ３５を備えている。さらに、撮影ユニット３は、前面下方にコイン投入口２６を、側面に写真シールの取出口２８をそれぞれ備えている。
【００４７】
編集ユニット４は、撮影ユニット３と同様のコンピュータを中心に構成され各部の制御等を行う制御装置および撮影ユニット３等と通信を行うためのネットワークアダプタなどを内蔵している。また、編集ユニット４は、図１（ｂ）に示すように、２組の利用者Ｕがプレイ可能なように２つのユニット４ａ、４ｂに分かれている。そのうちの一方のユニット４ａには、落書き領域や落書きのためのメニュー、ツール等を表示する領域を含む編集操作用タッチパネル４００と、当該編集操作用タッチパネル４００に対する操作に使用されるタッチペン４９Ｌ、４９Ｒとが設けられている。なお、他方のユニット４ｂについても同様の構成となっている。ここで図１（ａ）において手前に見えるユニット４ａを「落書きブースＡ」と呼び、その反対側（図では裏側）のユニット４ｂを「落書きブースＢ」と呼ぶ。
【００４８】
本実施形態における編集操作用タッチパネル４００は、各ユニット４ａ、４ｂにおいてそれぞれ２人の利用者Ｕが同時に落書きを行えるような画面構成となっている。なお、本説明においては、左側の利用者Ｕが使用する構成要素には「Ｌ」を含む参照符号を付し、右側の利用者Ｕが使用する構成要素には「Ｒ」を含む参照符号を付している。
【００４９】
図５は、編集操作用タッチパネル４００の画面構成を示す模式図である。この編集操作用タッチパネル４００には、左右の利用者Ｕそれぞれが使用する構成要素として、編集用の撮影画像の中から選択された画像を落書き対象画像として表示し（仮想的な）落書きを行える領域である落書き領域４１Ｌ、４１Ｒと、利用者Ｕが落書きを行うためのツールすなわち落書き対象画像に対する編集指示のためのツールの集合であって使用可能に表示したものとしてのパレット４２Ｌ、４２Ｒと、それらパレット４２Ｌ、４２Ｒに含まれるツールの種類を切り替えるためのモード選択ボタン群４４Ｌ、４４Ｒと、パレット４２Ｌ、４２Ｒに含まれうるツール以外で落書きに関する操作を行うためのボタン群４５Ｌ、４５Ｒとが含まれている。パレット４２Ｌ、４２Ｒにはタブ４３Ｌ、４３Ｒが設けられており、タブを切り替えることによって多種類のアイテムの表示、選択が可能となっている。また、編集操作用タッチパネル４００には、左右の利用者が共通に使用する構成要素として、落書き時間の残り時間を表示するためのタイマー４６と、編集用の複数の撮影画像を落書き対象画像として小さく一覧表示した画像群である候補画像サムネイル４７と、タブやアイテムなどの選択が行われたときに当該選択されたものについての使用説明などを表示するためのガイド画面表示領域４８とが含まれている。
【００５０】
なお、図５に示す編集操作用タッチパネル４００において、モード選択ボタン群４４Ｌ、４４Ｒによって、パレットモードを例えば「ペン」、「スタンプ」、「フレーム」、および「背景」のいずれかに切り替えることができる。また、ボタン群４５Ｌ、４５Ｒによって、例えば「らくがき終了」、「らくがき全消去」、「一つ戻る」、「消しゴム」、「背景消しゴム」、「太いペン」、「中ぐらいのペン」、および「細いペン」というような機能が提供される。
【００５１】
以上のような構成において、利用者は、撮影室２において撮影を行った後、編集ユニット４の落書きブースＡまたは落書きブースＢの編集操作用タッチパネル４００を使用することにより撮影画像に対して落書きを行い、落書きによって生成された合成画像をネットワークプリンタ３５から印刷出力する。
【００５２】
＜２．照明のための構成＞
図６は、本実施形態において、照明に関する構成を示した模式図である。図６に示すように、この遊戯用写真作成装置においては、複数のストロボ１１，１２，１３Ｌ，１３Ｒ，および１４が、カメラ１０およびパソコン１５と接続されたストロボドライバ１６にケーブル（配線部材）５で接続されている。ストロボドライバ１６には、ストロボとの接続用の複数のポート（接続部）が設けられており、それぞれポート番号が割り当てられている。なお、図６で正面から見てカメラ１０の上方に設置されたストロボ１１、撮影操作用タッチパネル２０のすぐ下方に設置されたストロボ１２、カメラ１０の左方に設置されたストロボ１３Ｌ、カメラ１０の右方に設置されたストロボ１３Ｒ、および筐体の下方に設置されたストロボ１４は、ポート番号が「１」，「２」，「３」，「４」，および「５」のポートにそれぞれ本来的に接続されるべきものと仮定する。また、典型的には、それら複数のストロボ１１，１２，１３Ｌ，１３Ｒ，および１４は全て同じ種類（タイプ）のストロボである。
【００５３】
本実施形態においては、上記複数のストロボ１１，１２，１３Ｌ，１３Ｒ，および１４の設置場所に、すなわち、図６で正面から見てカメラ１０の上方、撮影操作用タッチパネル２０のすぐ下方、カメラ１０の左方、カメラ１０の右方、および筐体の下方に、それぞれ電子タグ（「ＩＤタグ」，「ＩＣタグ」などとも呼ばれる。）１７１，１７２，１７３，１７４，および１７５が予め取り付けられている。そして、各ストロボが設置される際に、ストロボと電子タグとがコネクタ等を介して接続される。例えば、カメラ１０の上方の（ストロボの）設置場所に着目すると、ストロボ１１の交換が行われる際、図７（ａ）に示すように古いストロボ１１と電子タグ１７１とが接続された状態から当該古いストロボ１１が取り外される。このとき、図７（ｂ）に示すように、電子タグ１７１はこの遊戯用写真作成装置に取り付けられたままである。そして、新しいストロボ１１が取り付けられ、図７（ｃ）に示すように、当該新しいストロボ１１と電子タグ１７１とが接続された状態となる。
【００５４】
また、各ストロボの設置場所には場所を識別するためのＩＤ（場所のＩＤ）が仮想的に割り当てられている。本実施形態においては、図６に示すように、カメラ１０の上方、撮影操作用タッチパネル２０のすぐ下方、カメラ１０の左方、カメラ１０の右方、および筐体の下方に、それぞれ「１」，「２」，「３」，「４」，および「５」という場所のＩＤが割り当てられている。
【００５５】
上述の電子タグには記憶素子としての半導体メモリが内蔵されており、ストロボの設置場所を識別するための識別子としてのＩＤ（上述の「場所のＩＤ」）が半導体メモリに書き込まれている。本実施形態においては、各ストロボの設置場所に取り付けられた電子タグの半導体メモリには、図６に示すようにＩＤが書き込まれている。例えば、カメラ１０の上方に取り付けられた電子タグ１７１の半導体メモリには「ＩＤ＝１」が書き込まれている。なお、本実施形態においては、上記電子タグによって第１の識別手段が実現され、上記ＩＤによって第１の識別情報が実現されている。
【００５６】
ところで、ストロボドライバ１６に設けられたストロボとの接続用のポートは入出力兼用のポートとなっている。このため、ストロボドライバ１６による各ストロボ１１，１２，１３Ｌ，１３Ｒ，および１４の制御が可能となっているとともに、各ストロボ１１，１２，１３Ｌ，１３Ｒ，および１４とストロボドライバ１６とを介した各電子タグ１７１，１７２，１７３，１７４，および１７５からパソコン１５への上述したＩＤのデータの転送が可能となっている。
【００５７】
以上のような構成において、各ストロボの設置場所とストロボドライバ１６の各ポートとの間の誤配線（誤接続）を検出するために、各ストロボの設置場所に取り付けられた電子タグの半導体メモリに書き込まれたＩＤを用いて、ストロボドライバ１６の各ポートに接続されているストロボの設置場所が当該各ポートに予め対応付けられた設置場所であるか否かを検査する照明装置配線検査処理が行われる。なお、照明装置配線検査処理についての詳しい説明は後述する。
【００５８】
＜３．機能的構成＞
図８は、本実施形態に係る遊戯用写真作成装置の要部を機能面から見た構成を示すブロック図である。この遊戯用写真作成装置は、機能的には、主として利用者Ｕを撮影する処理（撮影処理）を行うための撮影処理部７と、主として撮影画像に対する利用者Ｕの落書き操作に応じて当該撮影画像の編集処理を行うための編集処理部８と、印刷出力を行う出力処理部９とから構成されている。撮影処理部７は、第１の制御部７０と撮像部７１と第１の表示・操作部７２とストロボ制御部７３と照明部７４と第１の通信部７５とによって構成されている。編集処理部８は、第２の制御部８０と第２の表示・操作部８１、８２と第２の通信部８３とによって構成されている。出力処理部９は、出力部９０によって構成されている。ネットワークアダプタである第１および第２の通信部７５，８３とネットワークプリンタ３５である出力部９０とは、ＬＡＮ（Local Area Network）などのネットワーク６を介してそれぞれ相互に通信可能となっている。
【００５９】
第１の制御部７０は、撮影ユニット３に内蔵され、ＣＰＵ、メモリ、フレームバッファ、および補助記憶装置などを含むコンピュータ（パソコン１５）を中心に構成される制御装置に相当し、内部メモリに格納された所定プログラムをＣＰＵが実行することにより、撮影処理に関する全体の制御を行う。
【００６０】
撮像部７１は、ＣＣＤ等の撮像素子を用いて構成されるカメラ１０に相当し、リアルタイムに画像を取り込んで当該画像（撮影画像）を表す画像信号を出力する。この画像信号は第１の制御部７０に入力されて、その内部のメモリに撮影画像データとして一時的に記憶される。また、この撮影画像データは撮影画像信号として第１の制御部７０から第１の表示・操作部７２に供給され、当該撮影画像信号に基づく撮影画像がリアルタイムに表示される。
【００６１】
第１の表示・操作部７２は、撮影操作用タッチパネル２０に相当し、出力されるべき写真のレイアウトを決定するための利用者Ｕの操作やシャッター操作等を受け付ける。これらの操作を示す信号は、操作信号として第１の制御部７０に入力される。ここで、利用者Ｕを撮影するための（選択された撮影メニューに対応する）所定の処理が開始されると、第１の表示・操作部７２に利用者Ｕのための案内が表示され、その後の第１の制御部７０からの指示に基づき、数秒程度の予め決められた時間の経過後にカメラ１０の撮影方向にストロボ１１〜１４から閃光が放たれる。そのとき、利用者Ｕの撮影画像を表す信号として撮像部７１から出力される画像信号が第１の制御部７０に入力され、第１の制御部７０内のメモリまたは補助記憶装置としてのハードディス装置等に撮影画像データとして格納される。
【００６２】
照明部７４は、カメラ１０の上下左右の適宜の位置に配置されたストロボ１１，１２，１３Ｌ，１３Ｒ，１４に相当し、第１の制御部７０からの指示に基づきストロボ制御部７３によって点灯／消灯および調光が制御される。ストロボ制御部７３は、撮影ユニット３に内蔵されるストロボドライバ１６に相当し、第１の制御部７０からの指示に基づき、照明部７４を制御する。第１の通信部７５は、撮影ユニット３に内蔵されるネットワークアダプタに相当し、データ送受信の際のインタフェースとして機能する。
【００６３】
上記の構成要素の他、撮影ユニット３におけるコイン投入口２６に投入されたコインを検出するためのコイン検出部（不図示）が更に撮影ユニット３に設けられており、第１の制御部７０は、コイン検出部での検出結果に基づき、利用者Ｕに所定時間だけ撮影や背景画像および前景画像の選択や落書きなど、本遊戯用写真作成装置によるプレイを許容するように各部を制御する。このコイン検出部やその検出結果に基づく第１の制御部７０による制御動作は、従来の遊戯用写真作成装置と同様であって周知であるので、その詳しい説明を省略する。
【００６４】
第２の制御部８０は、編集ユニット４に内蔵され、ＣＰＵ、メモリ、フレームバッファ、および補助記憶装置などを含むコンピュータ（パソコン）を中心に構成される制御装置に相当し、内部メモリに格納された所定プログラムをＣＰＵが実行することにより、編集処理に関する全体の制御を行う。また、第２の制御部８０は、第１の制御部７０から送られてきた合成画像に対する落書き処理のための操作信号に基づき、当該合成画像に落書きを付加した画像である合成画像を生成する。生成された合成画像は第２の表示・操作部８１，８２に表示される。上記のような画像合成が終了すると、当該合成画像は出力部９０に送信される。なお、出力部９０が別の合成画像を出力中である場合には、その旨が表示されるとともに終了を待って送信される。
【００６５】
第２の表示・操作部８１、８２は、編集操作用タッチパネル４００に相当し、タッチペン４９Ｌ，４９Ｒを用いた利用者Ｕの操作を受け付ける。第２の通信部８３は、編集ユニット４に内蔵されるネットワークアダプタに相当し、データ送受信の際のインタフェースとして機能する。
【００６６】
出力部９０は、撮影ユニット３に内蔵されるネットワークプリンタ３５に相当し、第２の制御部８０から受け取った利用者Ｕの落書きに応じて画像処理された上記撮影画像データの表す画像を写真シール（または写真カード）として出力する。出力された写真シール等は、撮影ユニット３の側面に設けられた取出口２８から取り出される。
【００６７】
なお、制御装置において実行される上記所定プログラムは、例えば、そのプログラムを記録した記録媒体であるＤＶＤ−ＲＯＭによって提供される。すなわち、上記所定プログラムの記録媒体としてのＤＶＤ−ＲＯＭが制御装置内に補助記憶装置として内蔵されたＤＶＤ−ＲＯＭ駆動装置に装着され、そのＤＶＤ−ＲＯＭから所定プログラムが読み出されて補助記憶装置としてのハードディスク装置にインストールされる。また、上記所定プログラムは、ＤＶＤ−ＲＯＭ以外の記録媒体（ＣＤ−ＲＯＭ等）や通信回線を介して提供されてもよい。そして、本遊戯用写真作成装置の起動のための所定操作がなされると、ハードディスク装置にインストールされた所定プログラムは、制御装置内のメモリに転送されてそこに一時的に格納され、制御装置内のＣＰＵによって実行される。これにより、制御装置による上記各部の制御処理が実現される。
【００６８】
＜４．遊戯用写真作成装置における処理手順＞
上述したように、この遊戯用写真作成装置には撮影ユニット３と編集ユニット４とが含まれている。撮影ユニット３では撮影処理が行われ、編集ユニット４では編集処理が行われる。なお、或る利用者Ｕが編集ユニット４でプレイしている時に他の利用者Ｕは撮影ユニット３でプレイすることができるように構成されている。すなわち、この遊戯用写真作成装置は、撮影処理と編集処理とを並行して行うことができる。以下に、撮影処理と編集処理の処理手順の概要について説明する。
【００６９】
＜４．１  撮影処理＞
図９は、本実施形態における撮影処理の処理手順を示すフローチャートである。この遊戯用写真作成装置が利用されていない時（プレイが行われていない時）には、撮影操作用タッチパネル２０にはデモ画像（デモンストレーション用の画像）が表示されている。デモ画像の表示中に利用者Ｕがコイン投入口２６にコインを投入すると、プレイが開始される（ステップＳ１００）。
【００７０】
プレイが開始されると、第１の制御部７０は、利用者Ｕによる撮影モードの選択を受け付ける（ステップＳ１１０）。なお、本実施形態においては、撮影モードとして、利用者Ｕにとって自動的に撮影が行われる「オート撮影モード」と、背景等を利用者Ｕが選択する「こだわり撮影モード」とが用意されているものとして説明する。ステップＳ１１０では、第１の制御部７０は、いずれかのモードを利用者Ｕに選択させるための画面を撮影操作用タッチパネル２０に表示し、利用者Ｕによる選択操作を受け付ける。そして、第１の制御部７０は、利用者Ｕがいずれのモードを選択したのかを判定する。判定の結果、オート撮影モードが選択されていればステップＳ１２０に進み、こだわり撮影モードが選択されていればステップＳ１３０に進む。
【００７１】
ステップＳ１２０では、撮影用テーマの選択が行われる。具体的には、第１の制御部７０は、予め用意された複数の撮影用テーマの中からいずれか（１または複数）の撮影用テーマを利用者Ｕに選択させるための画面を撮影操作用タッチパネル２０に表示し、利用者Ｕによる選択操作を受け付ける。そして、第１の制御部７０は、利用者Ｕの選択操作に基づいて選択情報を取得し、選択された撮影用テーマに基づいて、撮影の際に使用するフレームと背景との組み合わせを決定する。その後、ステップＳ１２２に進み、撮影が行われる。このステップＳ１２２では、所定枚数の撮影が行われるところ、撮影の都度、撮影画像が撮影操作用タッチパネル２０に表示される。ステップＳ１２２の終了後、ステップＳ１４０に進む。
【００７２】
ステップＳ１３０では、利用者Ｕによって、フレームと背景との組み合わせが選択される。具体的には、第１の制御部７０は、予め用意された複数のフレームの中からいずれかのフレームを利用者Ｕに選択させるための画面、および予め用意された複数の背景の中からいずれかの背景を利用者Ｕに選択させるための画面を撮影操作用タッチパネル２０に表示し、利用者Ｕによる選択操作を受け付ける。そして、第１の制御部７０は、利用者Ｕの選択操作に基づいて、選択情報を取得する。その後、ステップＳ１３２に進み、撮影が行われる。このステップＳ１３２では、選択されたフレームと背景との組み合わせに必要な枚数の撮影が行われるところ、撮影の都度、撮影画像が撮影操作用タッチパネル２０に表示される。
【００７３】
ステップＳ１３２の終了後、ステップＳ１３４に進む。ステップＳ１３４では、第１の制御部７０は、プレイの開始から或いは撮影モードが選択されてから所定の時間が経過しているか否かの判定を行う。判定の結果、所定の時間が経過していればステップＳ１４０に進み、所定の時間が経過していなければステップＳ１３０に戻る。
【００７４】
ステップＳ１４０では、編集画像（落書き対象画像）の選択が行われる。具体的には、第１の制御部７０は、落書き（編集）および印刷に使用する撮影画像を利用者Ｕに選択させるために、撮影画像の一覧を撮影操作用タッチパネル２０に表示し、利用者Ｕによる選択操作を受け付ける。そして、第１の制御部７０は、利用者Ｕによって選択された撮影画像を落書き対象画像として第２の制御部８０に転送する。ステップＳ１４０の終了後、ステップＳ１５０に進む。ステップＳ１５０では、案内画面の表示が行われる。具体的には、第１の制御部７０は、利用者Ｕを編集ユニット４のいずれか（４ａまたは４ｂ）に導くための画面を撮影操作用タッチパネル２０に表示する。これにより、撮影処理が終了する。
【００７５】
＜４．２  編集処理＞
図１０は、本実施形態における編集処理の処理手順を示すフローチャートである。上述した撮影処理の終了後、第２の制御部８０は、ネットワーク６を介して第１の制御部７０から送られる落書き対象画像（図９のステップＳ１４０で利用者Ｕによって選択された撮影画像）を取得する（ステップＳ２００）。その後、タイマー４６が所定の時間（利用者Ｕに落書きを許可する時間）に設定され、カウントダウンが開始される（ステップＳ２１０）。
【００７６】
タイマー４６のカウントダウン開始後、編集ユニット４では、利用者Ｕによる落書き操作（描画操作）が受け付けられる（ステップＳ２２０）。利用者Ｕに落書きを許可する残り時間が６０秒になると、第２の制御部８０は、落書き時間を延長するか否かを判定する（ステップＳ２３０）。落書き時間を延長するか否かは、次にこのユニット４ａまたは４ｂでプレイすることになる利用者Ｕが撮影室２にいるか否か（撮影ユニット３で撮影処理が行われているか否か）によって判定される。その結果、落書き時間を延長する旨の判定がなされると、ステップＳ２４０に進む。一方、落書き時間を延長しない旨の判定がなされると、ステップＳ２５０に進む。ステップＳ２４０では、タイマーが所定の時間（利用者Ｕに更に落書きを許可する時間）に設定され、再度カウントダウンが開始される。ステップＳ２４０の終了後、ステップＳ２５０に進む。
【００７７】
ステップＳ２５０では、ステップＳ２２０と同様、編集ユニット４で利用者Ｕによる落書き操作が受け付けられる。落書き時間が０になる（終了する）と、出力される写真の分割パターンの選択が行われる（ステップＳ２６０）。具体的には、第２の制御部８０は、予め用意された複数の分割パターンの中からいずれかの分割パターンを利用者Ｕに選択させるための画面を編集操作用タッチパネル４００に表示し、利用者Ｕによる選択操作を受け付ける。そして、第２の制御部８０は、利用者Ｕの選択操作に基づいて、選択情報を取得する。ステップＳ２６０の終了後、ステップＳ２７０に進む。
【００７８】
ステップＳ２７０では、第２の制御部８０は、落書き終了済みの落書き対象画像を所定のサーバに登録するか否かの判定を行う。具体的には、第２の制御部８０は、落書き対象画像を所定のサーバに登録するか否かを利用者Ｕに選択させるための画面を編集操作用タッチパネル４００に表示し、利用者Ｕによる選択操作を受け付ける。そして、第２の制御部８０は、利用者Ｕがいずれを選択したのか判定する。判定の結果、サーバに登録する旨の選択が行われていればステップＳ２８０に進み、サーバに登録しない旨の選択が行われていればステップＳ２９０に進む。
【００７９】
ステップＳ２８０では、所定のサーバへの落書き対象画像の画像データの送信が行われる。ステップＳ２８０の終了後、ステップＳ２９０に進む。ステップＳ２９０では、案内画面の表示が行われる。具体的には、第２の制御部８０は、利用者Ｕを写真シールの取出口２８に導くための画面を編集操作用タッチパネル４００に表示する。これにより、編集処理が終了する。
【００８０】
＜５．照明装置配線検査処理＞
次に、照明装置配線検査処理について説明する。本実施形態に係る遊戯用写真作成装置においては、電源投入後に、ストロボドライバ１６の各ポートに接続されているストロボの設置場所が当該各ポートに予め対応付けられた設置場所であるか否かを検査する照明装置配線検査処理が行われる。図１１は、本実施形態における照明装置配線検査処理の処理手順を示すフローチャートである。なお、第１の制御部７０には、図１２に示すような「ポート番号と場所のＩＤとの対応関係」を示すデータと、図１３に示すような「場所のＩＤと明るさとの対応関係」を示すデータとが予め保持されている。
【００８１】
この遊戯用写真作成装置の電源が投入されると、第１の制御部７０は、ストロボに対する明るさの設定を行う（ステップＳ３００）。明るさの設定は、第１の制御部７０が各ストロボの設置場所に対応するポートに明るさ（光量）を表す指示信号を与えることによって行われる。例えば、図１２に示したデータより「ポート番号＝１」のポートには「場所のＩＤ＝１」の場所に設置されているストロボ１１が接続されるべきであって、図１３に示したデータより当該ストロボ１１は「明るさ＝１０」に対応する光量で発光すべきであるので、図１４に示すように「ポート番号＝１」のポートには「明るさ＝１０」を表す指示信号が第１の制御部７０によって与えられる。なお、図１１のステップＳ３００からステップＳ３５０までの処理は、ストロボと接続されている（ストロボドライバ１６の）ポートの数だけ繰り返され、各ループでは１つのポートに対する処理が行われる。
【００８２】
ステップＳ３００の終了後、ステップＳ３１０に進み、第１の制御部７０は、処理対象のポートに接続されているストロボの設置場所に取り付けられている電子タグより当該ストロボを介してＩＤを取得する。次にステップＳ３２０に進み、第１の制御部７０は、ステップＳ３１０で取得したＩＤが処理対象のポートに対応付けられている「場所のＩＤ」に等しいものであるか否かを検査する。本実施形態においては、ステップＳ３１０で取得したＩＤと図１２に示したデータより取得される「処理対象のポートのポート番号に対応する場所のＩＤ」とが同じであるか否かが検査される。
【００８３】
ステップＳ３２０の終了後、ステップＳ３３０に進み、第１の制御部７０は、上記検査の結果の判定を行う。判定の結果、処理対象のポートに接続されているストロボの設置場所が当該ポートに予め対応付けられた場所（本来の設置場所）であればステップＳ３５０に進み、処理対象のポートに接続されているストロボの設置場所が当該ポートに予め対応付けられた場所でなければステップＳ３４０に進む。ステップＳ３４０では、第１の制御部７０は、ストロボドライバ１６のポートとストロボの設置場所との間の配線が正しく行われていない旨のエラーメッセージを表示する。ステップＳ３５０では、第１の制御部７０は、ストロボと接続されている全てのポートに対する処理が終了したか否かを判定する。判定の結果、処理が終了していなければステップＳ３００に戻り、処理が終了していれば照明装置配線検査処理は終了する。
【００８４】
なお、本実施形態においては、上記ステップＳ３１０によって第１の識別情報取得手段（ステップ）が実現され、上記ステップＳ３２０によって第１の検査手段（ステップ）が実現され、上記ステップＳ３４０によって第１のエラーメッセージ表示手段が実現されている。また、上記第１の識別手段としての電子タグと上記各ステップを実行する第１の制御部７０（パソコン１５）とによって配線検査装置が実現されている。
【００８５】
＜６．効果＞
以上のように、本実施形態によると、遊戯用写真作成装置の各ストロボの設置場所にはその場所を識別（特定）するための第１の識別手段としての電子タグが設けられ、その電子タグに内蔵されている半導体メモリに書き込まれたＩＤに基づいて、複数のストロボの発光量を制御するストロボドライバの各ポートに接続されているストロボの設置場所が当該各ポートに予め対応付けられた本来の設置場所であるか否かが検査される。このため、ストロボドライバの各ポートと各ストロボの設置場所との間の配線に誤りがあっても、当該誤りが検知される。これにより、遊戯用写真作成装置において、各ストロボの設置場所とストロボドライバの各ポートとの間の誤配線（誤配線された状態で遊戯用写真作成装置が実稼働されること）が防止される。特に、ストロボ側から延びるケーブル（配線部材）をストロボドライバのポートに接続する際に誤ったポートに接続されること（誤接続）が多々あるが、本実施形態によれば、そのような誤接続が効果的に防止される。
【００８６】
例えば、図６に示すような配線（接続）がなされなければならないときに、図１５に示すような配線（カメラ右方のストロボ１３Ｒが接続されるべきポートに筐体下方のストロボ１４が接続され、筐体下方のストロボ１４が接続されるべきポートにカメラ右方のストロボ１３Ｒが接続されている）がなされた場合、次のようにして誤配線（誤接続）が検知される。上述した照明装置配線検査処理（図１１参照）で処理対象のポートのポート番号が「４」のとき、ステップＳ３１０では、「ポート番号＝４」のポートに接続されているストロボ（すなわち筐体下方のストロボ１４）の設置場所に取り付けられた電子タグ１７５からＩＤが取得される。従って、「ＩＤ＝５」が取得される。ステップＳ３２０ではＩＤの検査が行われるところ、図１２に示したデータより取得される「処理対象のポートのポート番号に対応する場所のＩＤ」は「４」である。ところが、ステップＳ３１０で取得されたＩＤは「５」である。従って、ステップＳ３３０では「処理対象のポートに接続されているストロボの設置場所は、当該ポートに予め対応付けられた場所（本来の設置場所）ではない」と判断される。その結果、ステップＳ３４０でエラーメッセージが表示される。このようにして誤配線（誤接続）が検知されるので、遊戯用写真作成装置が実稼働される前に、ストロボドライバ１６の各ポートと各ストロボの設置場所との間の配線状態を確実に正しい状態にすることができる。
【００８７】
＜７．変形例＞
以下、上記実施形態の変形例について説明する。
【００８８】
＜７．１  第１の変形例＞
図１６は、上記実施形態の第１の変形例における照明装置配線検査処理の処理手順を示すフローチャートである。上記実施形態においては、処理対象のポートとストロボの設置場所との間の配線状態が正しくなければエラーメッセージが表示されたが（図１１のステップＳ３４０）、本変形例においては処理対象のポートに接続されているストロボに対して明るさの再設定が行われる。詳しくは、図１６のステップＳ４３０で「処理対象のポートに接続されているストロボの設置場所は、当該ポートに予め対応付けられた場所（本来の設置場所）ではない」と判定されるとステップＳ４４０に進み、第１の制御部７０は、処理対象のポートに接続されているストロボの設置場所に対応する明るさのデータを取得する。例えば、「ポート番号と場所のＩＤ」が図１２に示すようなものであって、「場所のＩＤと明るさとの対応関係」が図１３に示すようなものであるときに、処理対象のポートのポート番号が「１」であるにもかかわらず、「場所のＩＤ＝２」の場所に設置されたストロボが当該ポートに接続されていたと仮定する。このとき、ステップＳ４４０では、第１の制御部７０は、図１３に示したデータより「明るさ＝５」というデータ（「場所のＩＤ＝２」に対応するデータ）を取得する。ステップＳ４４０の終了後、ステップＳ４４２に進み、第１の制御部７０は、「ポート番号＝１」のポートに「明るさ＝５」を表す指示信号を与える。これにより、「場所のＩＤ＝２」の場所に設置されたストロボは、予め定められている「明るさ＝５」に対応する光量で発光する。なお、本変形例においては、上記ステップＳ４４０，Ｓ４４２によって動作再制御手段（ステップ）が実現されている。
【００８９】
本変形例によれば、ストロボドライバの各ポートと各ストロボの設置場所との間に誤配線があった場合に、誤配線されたポートに接続されているストロボの設置場所についての予め定められた明るさのデータに基づいて、再度、明るさを表す指示信号が当該ポートに与えられる。これにより、遊戯用写真作成装置において、ストロボドライバの各ポートと各ストロボの設置場所との間に誤配線があっても、配線（接続）のやり直しをすることなく、設置場所に応じて予め定められた明るさ（光量）で各ストロボが発光する。
【００９０】
＜７．２  第２の変形例＞
上記実施形態においては、ストロボドライバ１６の各ポートに接続されているストロボは全て同じ種類のものであることを前提にしていた。ところが、遊戯用写真作成装置によっては複数の種類のストロボが撮影ユニット３に取り付けられることがある。それら複数の種類のストロボに関し、発光部ユニットの取付形状が異なっていたりコネクタの形状が異なっている場合には、取付時に間違いを発見することができる。しかし、複数の種類のストロボに関し、同一形状あるいは同一コネクタである場合などには、取り付けた段階で間違いに気づかないこともありえる。例えば、図１７（ａ）に示すようにタイプＡのストロボ１０１がカメラ１０の上方に設置されるべきであるにもかかわらず、図１７（ｂ）に示すように誤ってタイプＢのストロボ１０２がカメラ１０の上方に設置されることがある。このとき、「ポート番号＝１」のポートとストロボの設置場所（「場所のＩＤ＝１」の場所）との間の配線状態（接続状態）は正しいが、本来設置されるべき種類のストロボが設置されていないためストロボは正しく動作（発光）しない。そこで、本変形例では、以下のようにして、ストロボドライバ１６の各ポートに接続されているストロボが当該各ポートに予め対応付けられた種類のストロボであるか否かを検査する処理が行われる。
【００９１】
図１８は、本変形例において、照明に関する構成を示した模式図である。図１８に示すように、本変形例においては、各ストロボの設置場所に予め電子タグ１７１〜１７５が取り付けられるのに加えて、各ストロボに第２の識別手段としての電子タグ１８１〜１８５が予め取り付けられる。これらの電子タグ１８１〜１８５の半導体メモリには、ストロボの種類を識別するための第２の識別情報としてのＩＤが書き込まれている。図１８に示す例では、３種類のストロボが使用されており、ストロボの種類に応じたＩＤが当該ストロボに取り付けられた電子タグの半導体メモリに書き込まれている。また、第１の制御部７０には、図１９に示すような「ポート番号とストロボの種類のＩＤとの対応関係」を示すデータが予め保持されている。
【００９２】
次に、図２０を参照しつつ、本変形例における照明装置配線検査処理の処理手順について説明する。なお、ステップＳ５００〜Ｓ５４０の処理については、上記実施形態におけるステップＳ３００〜Ｓ３４０（図１１参照）と同様であるので、説明を省略する。
【００９３】
ステップＳ５５０では、第１の制御部７０は、処理対象のポートに接続されているストロボに取り付けられた電子タグ（電子タグ１８１〜１８５のいずれか）よりＩＤを取得する。次にステップＳ５６０に進み、第１の制御部７０は、ステップＳ５５０で取得したＩＤが処理対象のポートに対応付けられている「ストロボの種類のＩＤ」に等しいものであるか否かを検査する。本実施形態においては、ステップＳ５５０で取得したＩＤと図１９に示したデータより取得される「処理対象のポートのポート番号に対応するストロボの種類のＩＤ」とが同じであるか否かが検査される。
【００９４】
ステップＳ５６０の終了後、ステップＳ５７０に進み、第１の制御部７０は、上記検査の結果の判定を行う。判定の結果、処理対象のポートに接続されているストロボが当該ポートに予め対応付けられた種類のストロボであればステップＳ５９０に進み、処理対象のポートに接続されているストロボが当該ポートに予め対応付けられた種類のストロボでなければステップＳ５８０に進む。ステップＳ５８０では、第１の制御部７０は、ストロボドライバ１６のポートに誤った種類のストロボが接続されている旨のエラーメッセージを表示する。ステップＳ５９０では、第１の制御部７０は、ストロボと接続されている全てのポートに対する処理が終了したか否かを判定する。判定の結果、処理が終了していなければステップＳ５００に戻り、処理が終了していれば照明装置配線検査処理は終了する。
【００９５】
なお、本変形例においては、上記ステップＳ５５０によって第２の識別情報手段（ステップ）が実現され、上記ステップＳ５６０によって第２の検査手段（ステップ）が実現され、上記ステップＳ５８０によって第２のエラーメッセージ表示手段が実現されている。
【００９６】
以上のように、本変形例によると、遊戯用写真作成装置の各ストロボにはそのストロボの種類を識別（特定）するための第２の識別手段としての電子タグが設けられ、その電子タグに内蔵されている半導体メモリに書き込まれた第２の識別情報としてのＩＤに基づいて、ストロボドライバの各ポートに接続されているストロボが当該各ポートに予め対応付けられた種類のストロボであるか否かが検査される。また、上記実施形態と同様、各ストロボの設置場所に取り付けられた第１の識別手段としての電子タグの半導体メモリに書き込まれた第１の識別情報としてのＩＤを用いて、ストロボドライバの各ポートと各ストロボの設置場所との間の配線状態が正しいか否かが検査される。すなわち、第１の識別情報を用いて、ストロボドライバのポートとストロボの設置場所との対応関係が正しいか否かが検査され、第２の識別情報を用いて、ストロボドライバのポートとストロボの種類との対応関係が正しいか否かが検査される。このことから、ストロボの設置場所とストロボの種類との対応関係が正しいか否かについても把握される。このようにして、各ストロボの設置場所に誤った種類のストロボが設置（配置）されても、当該誤りが検知される。これにより、遊戯用写真作成装置において、各ストロボの設置場所へのストロボの誤配置（誤配置された状態で遊戯用写真作成装置が実稼働されること）が防止される。
【００９７】
例えば、図１８に示すような配置で各ストロボが設置されなければならないときに、図２１に示すような配置で各ストロボが設置（カメラ上方に設置されるべきストロボ１１が筐体下方に設置され、筐体下方に設置されるべきストロボ１４がカメラ上方に設置）された場合、次のようにして誤配置が検知される。上述した照明装置配線検査処理（図２０参照）で処理対象のポートのポート番号が「１」のとき、ステップＳ５５０では、「ポート番号＝１」のポートに接続されているストロボ１４に取り付けられた電子タグ１８５からＩＤが取得される。従って、「ＩＤ＝１３」が取得される。ステップＳ５６０ではＩＤの検査が行われるところ、図１９に示したデータより取得される「処理対象のポートのポート番号に対応するストロボの種類のＩＤ」は「１１」である。ところが、ステップＳ５５０で取得されたＩＤは「１３」である。従って、ステップＳ５７０では「処理対象のポートに接続されているストロボは、当該ポートに予め対応付けられた種類のストロボではない」と判断される。その結果、ステップＳ５８０でエラーメッセージが表示される。このようにして誤配置（誤設置）が検知されるので、遊戯用写真作成装置が実稼働される前に、各設置場所に正しい種類のストロボを確実に設置することができる。
【００９８】
＜７．３  第３の変形例＞
図２２は、上記実施形態の第３の変形例において、照明に関する構成を示した模式図である。なお、図２２では、パソコンおよびストロボドライバについては省略している。本変形例においては、ストロボの設置場所を識別するための第１の識別手段として、各設置場所には抵抗器１９１，１９２，１９３，１９４，および１９５が設けられている。それら抵抗器１９１〜１９５はそれぞれ異なる抵抗値Ｘ１〜Ｘ５オームを有している。このような構成において、ストロボの設置場所の識別は、各設置場所に設けられた抵抗器に定電流を流すことによって抵抗器の両端に生ずる電圧を測定することによって行われる。なお、ストロボの種類を識別するための第２の識別手段としても、本変形例に係る構成を採用することができる。
【００９９】
＜７．４  第４の変形例＞
上記実施形態の第４の変形例においては、ストロボの設置場所を識別するための第１の識別手段として、設置場所毎に異なるパターンの電気配線が設けられている。これについて、図２３を参照しつつ説明する。例えば、図２３（ａ）に示すような電気配線のパターンがあるとき、Ｐ１，Ｐ２，およびＰ３の各点における電位はいずれも０である。従って、Ｐ１，Ｐ２，およびＰ３の各点の電位の和は０となる。一方、図２３（ｂ）に示すような電気配線のパターンがあるとき、Ｐ１およびＰ３の各点における電位については０であるが、Ｐ２の点における電位は２Ｖである。従って、Ｐ１，Ｐ２，およびＰ３の各点の電位の和は２Ｖとなる。このように、本変形例においては、設置場所毎に異なるパターンの電気配線が設けられ、電気配線のパターンに応じて生じる電位によって各ストロボの設置場所の識別が行われる。なお、ストロボの種類を識別するための第２の識別手段としても、本変形例に係る構成を採用することができる。
【０１００】
＜７．５  その他の変形例＞
上記実施形態においては遊戯用写真作成装置の電源投入後に照明装置配線検査処理が行われるものとして説明しているが、本発明はこれに限定されず、例えば撮影処理の開始前に照明装置配線検査処理が行われる構成にしても良い。また、ストロボの設置場所を識別するための第１の識別手段やストロボの種類を識別するための第２の識別手段についても、上記実施形態および各変形例で説明したものには限定されない。
【０１０１】
＜８．他の実施形態＞
上記実施形態においては遊戯用写真作成装置における配線検査を例に挙げて説明したが、本発明はこれに限定されず、様々な装置における配線検査に適用することができる。これについて、図２４および図２５を参照しつつ説明する。或る３つの動作手段５０１，５０２，および５０３を動作制御手段としての１つのマイコン５１０によって制御する装置５００があるとき、図２４に示すように、上記３つの動作手段５０１，５０２，および５０３が設置されるべき場所（設置場所Ａ，設置場所Ｂ，および設置場所Ｃ）に、上述した電子タグなどの第１の識別手段５０４，５０５，および５０６をそれぞれ取り付ける。そして、マイコン５１０の各ポートに接続された動作手段の設置場所に取り付けられた第１の識別手段からＩＤなどの第１の識別情報を取得する処理と、その取得された第１の識別情報に基づいてマイコン５１０の各ポートに接続された動作手段の設置場所が当該各ポートに予め対応付けられた設置場所であるか否かを検査する処理とを実行するプログラムをメモリ（ＲＯＭ）５１２に書き込んでおき、当該プログラムをＣＰＵ５１１によって実行させると良い。例えば、図２５に示すように、設置場所Ａ，Ｂ，およびＣにおける回転数をＸ，Ｙ，およびＺとする３つのモータ６０１，６０２，および６０３を１つのマイコン６１０によって制御する装置６００において本発明を適用することができる。また、図２４および図２５に示す構成において、上記実施形態の第１の変形例や第２の変形例のようにして、誤配線があった場合に動作手段の動作を再制御（モータの回転数を再設定）することもできるし、各ポートに接続されている動作手段（モータ）が本来接続されるべき種類の動作手段（モータ）であるかを検査することもできる。
【図面の簡単な説明】
【０１０２】
【図１】本発明の一実施形態に係る自動写真作成装置である遊戯用写真作成装置の外観を示す図である。
【図２】上記実施形態における撮影ユニットの正面図である。
【図３】上記実施形態における編集ユニットの正面図である。
【図４】上記実施形態において、撮影操作用タッチパネルの画面構成を示す模式図である。
【図５】上記実施形態において、編集操作用タッチパネルの画面構成を示す模式図である。
【図６】上記実施形態において、照明に関する構成を示した模式図である。
【図７】上記実施形態において、電子タグとストロボとの接続について説明するための図である。
【図８】上記実施形態に係る遊戯用写真作成装置の要部を機能面から見た構成を示すブロック図である。
【図９】上記実施形態における撮影処理の処理手順を示すフローチャートである。
【図１０】上記実施形態における編集処理の処理手順を示すフローチャートである。
【図１１】上記実施形態における照明装置配線検査処理の処理手順を示すフローチャートである。
【図１２】上記実施形態において、ポート番号と場所のＩＤとの対応関係を示す図である。
【図１３】上記実施形態において、場所のＩＤと明るさとの対応関係を示す図である。
【図１４】上記実施形態において、ポート番号と明るさとの対応関係を示す図である。
【図１５】上記実施形態における効果について説明するための図である。
【図１６】上記実施形態の第１の変形例における照明装置配線検査処理の処理手順を示すフローチャートである。
【図１７】上記実施形態の第２の変形例について説明するための図である。
【図１８】上記第２の変形例において、照明に関する構成を示した模式図である。
【図１９】上記第２の変形例において、ポート番号とストロボの種類のＩＤとの対応関係を示す図である。
【図２０】上記第２の変形例における照明装置配線検査処理の処理手順を示すフローチャートである。
【図２１】上記第２の変形例における効果について説明するための図である。
【図２２】上記実施形態の第３の変形例において、照明に関する構成を示した模式図である。
【図２３】上記実施形態の第４の変形例における識別手段について説明するための図である。
【図２４】上記実施形態の他の実施形態について説明するための図である。
【図２５】上記実施形態の他の実施形態について説明するための図である。
【図２６】従来例において、照明に関する構成を示した模式図である。
【図２７】従来例において、パソコンからストロボドライバの各ポートに与えられる指示信号について説明するための図である。
【図２８】従来例において、ストロボとストロボドライバとの間の誤配線（誤接続）について説明するための図である。
【符号の説明】
【０１０３】
２…撮影室
３…撮影ユニット
４…編集ユニット
５…配線部材（ケーブル）
１０…カメラ
１１，１２，１３Ｌ，１３Ｒ，１４…ストロボ
１５…パソコン
１６…ストロボドライバ
２０…撮影操作用タッチパネル
７０…第１の制御部（パソコン）
７１…撮像部（カメラ）
７２…第１の表示・操作部（撮影操作用タッチパネル）
７３…ストロボ制御部（ストロボドライバ）
７４…照明部（照明装置）（ストロボ）
７５，８３…第１および第２の通信部（ネットワークアダプタ）
８０…第２の制御部
８１，８２…第２の表示・操作部（編集操作用タッチパネル）
１７１〜１７５，１８１〜１８５…電子タグ
Ｕ…利用者
【図１】
2010063050.tif 000003
【図２】
2010063050.tif 000004
【図３】
2010063050.tif 000005
【図４】
2010063050.tif 000006
【図５】
2010063050.tif 000007
【図６】
2010063050.tif 000008
【図７】
2010063050.tif 000009
【図８】
2010063050.tif 000010
【図９】
2010063050.tif 000011
【図１０】
2010063050.tif 000012
【図１１】
2010063050.tif 000013
【図１２】
2010063050.tif 000014
【図１３】
2010063050.tif 000015
【図１４】
2010063050.tif 000016
【図１５】
2010063050.tif 000017
【図１６】
2010063050.tif 000018
【図１７】
2010063050.tif 000019
【図１８】
2010063050.tif 000020
【図１９】
2010063050.tif 000021
【図２０】
2010063050.tif 000022
【図２１】
2010063050.tif 000023
【図２２】
2010063050.tif 000024
【図２３】
2010063050.tif 000025
【図２４】
2010063050.tif 000026
【図２５】
2010063050.tif 000027
【図２６】
2010063050.tif 000028
【図２７】
2010063050.tif 000029
【図２８】
2010063050.tif 000030